(57)【要約】【課題】  屋内の結露を防止することが可能な建物の断熱構造を提供する。【解決手段】  建物の土間面上に設置されたユニットバスを収容するユニットバス収容室と、ユニットバス収容室と隣接し、建物の土間面から所定の高さに配置された床を有する、ユニットバス隣接室と、ユニットバス隣接室と隣接し、土間面から所定の高さに配置された床を有する居室と、を有する建物であって、ユニットバス収容室、ユニットバス隣接室の床上区画と床下区画、及び、居室の床上区画からなり、内部の通気が図られるとともに、建物外部と熱的に区画された居室環境区画と、居室の床下区画からなり、建物外部と通気するとともに、居室環境区画と熱的に区画された外部環境区画と、を有する。【選択図】  図１
2017179870.tif 000002
【特許請求の範囲】
【請求項１】
建物の土間面上に設置されたユニットバスを収容するユニットバス収容室と、前記ユニットバス収容室と隣接し、前記土間面から所定の高さに配置された床を有するユニットバス隣接室と、前記ユニットバス隣接室と隣接し、前記土間面から所定の高さに配置された床を有する居室と、を有する建物の断熱構造であって、
前記ユニットバス収容室、前記ユニットバス隣接室の床上区画と床下区画、及び、前記居室の床上区画からなり、内部の通気が図られるとともに、建物外部と熱的に区画された居室環境区画と、
前記居室の床下区画からなり、前記建物外部と通気するとともに、前記居室環境区画と熱的に区画された外部環境区画と、
を有することを特徴とする建物の断熱構造。
【請求項２】
前記居室の床は、下面に床断熱材を有し、
前記ユニットバス収容室の下部と前記ユニットバス隣接室の床下区画は、前記土間面から立設した基礎断熱材により包囲されており、
前記居室環境区画は、前記基礎断熱材及び前記床断熱材により、前記建物外部及び前記外部環境区画と熱的に区画されたことを特徴とする請求項１に記載の建物の断熱構造。
【請求項３】
前記ユニットバス隣接室は、前記ユニットバス収容室と連通するための第１の通気部を有し、
前記居室は、前記ユニットバス隣接室と連通するための第２の通気部を有し、
前記居室環境区画は、前記第１の通気部及び前記第２の通気部により、内部の通気が図られることを特徴とする請求項１または２に記載の建物の断熱構造。
【請求項４】
前記ユニットバス隣接室の床下区画は、前記ユニットバス収容室の下部に連通し、
前記第１の通気部は、前記ユニットバス隣接室の床に備わる、ことを特徴とする請求項３に記載の建物の断熱構造。
【請求項５】
前記基礎断熱材は、
前記ユニットバス収容室及び前記ユニットバス隣接室の外壁下部の基礎壁の室内側と、
前記ユニットバス隣接室と前記居室との境界下部の基礎壁と、
に立設される、ことを特徴とする請求項２から４のいずれかに記載の建物の断熱構造。
【発明の詳細な説明】
【技術分野】
【０００１】
本発明は、ユニットバスを設置した建物の断熱構造に関するものである。
【背景技術】
【０００２】
凡そ建物は、床面、外壁及び天井面に施された断熱構造によって、建物外部の温熱環境から区画される。このうち、床面の断熱方法には、床材の直下に断熱材を設置する床断熱と、床下にある基礎壁に断熱材を設置する基礎断熱とがあるが、基礎断熱の場合、断熱区画の範囲に床下空間も含む形になるため、冷暖房の空間範囲が大きくなる。そのため、床下空間を建物外部と同じ温熱環境にしても差し支えのない場合には、床断熱を採用する場合が多い。
【０００３】
ユニットバスは、浴槽と洗い場が繊維強化プラスチックなどで一体成形された設備空間である。近年のユニットバスは、バリアフリーの要請により床構面を切り欠いて土間面上に設置されることが多い。この場合には、ユニットバスは他の部屋と同じような床断熱とすることができない。このため、ユニットバス周りにのみ基礎壁に断熱材を張って基礎断熱する方法がとられることが多い。
【０００４】
この場合には、ユニットバス周りの床下の通気が遮断されるため、ユニットバスの基礎周辺に結露が発生する可能性が高くなり、耐久性に問題が生じる場合がある。一方、ユニットバス床下の通気を確保しようとすれば基礎断熱の意味がなくなり、ユニットバス周りの空気が外気と連通し、ユニットバスの直上階の床やユニットバス周りの間仕切壁に結露が発生しやすくなる。よって、これを防止するために、ユニットバスの直上階の床やユニットバス周りの空間の間仕切壁に断熱材や防湿シートを設けることが必要となる。
【０００５】
このような課題を解決する技術としては、ユニットバスと洗面所とが隣接して配置され、そのユニットバスおよび洗面所と、それら以外の部分の居住空間とが、天井部および床部を含み仕切りで完全に分離され、その居住空間が気密の独立した計画換気空間を成形すると共に、洗面所の内部と居住空間の内部との境に気密性ドアが設けられ、ユニットバスの外側および洗面所の外側を連通する独立した気密の計画換気空間が構成されて、その計画換気空間内の空気を独立して住宅本体の外に導く排気ユニットがユニットバスの外側上方に設けられ、ユニットバスの内部の空気を直接住宅本体の外に導く換気装置が設けられたユニットバス周りの換気構造がある（例えば、特許文献１参照）。
【先行技術文献】
【特許文献】
【０００６】
【特許文献１】特許第3418791号公報
【発明の概要】
【発明が解決しようとする課題】
【０００７】
しかしながら、特許文献１の技術では、ユニットバス11及び洗面所3と、居住空間2とが、仕切りで完全に分離され、居住空間2が気密の独立した計画換気空間を形成し、洗面所3と居住空間2との境に気密性ドア7が設けられ、ユニットバス11及び洗面所3の外側を連通する独立した気密の計画換気空間26が構成されているため、居住空間2と、計画換気空間26やユニットバス11や洗面所3との間で、通気が妨げられることとなる。
【０００８】
これにより、冬には、暖房がなされる居住空間2の温度が、冬の冷たい外気が導入される計画換気空間26及びユニットバス11及び洗面所3の温度より高くなるため、仕切壁8と天井壁9と床下仕切壁23と床部19との、浴室4から見た外側（居住空間2から見た内側）に結露が生じる。
【０００９】
また、夏には、冷房がなされる居住空間2の温度が、夏の暑い外気が導入される計画換気空間26及びユニットバス11及び洗面所3の温度より低くなるため、仕切壁８と天井壁９と床下仕切壁23と床部19との、浴室４から見た内側（居住空間2から見た外側）に結露が生じる。
【００１０】
したがって、特許文献１の技術では、従来技術と同様に、仕切壁8と天井壁9と床下仕切壁23と床部19等に、断熱材や防湿シートを設けることが必要となる。
【００１１】
加えて、計画換気空間26、洗面所3、浴室4には、外気が導入されるため、外部環境と同じ環境となり、夏、冬とも不快な環境となる。また、冬には、暖房がなされる居住空間2の温度と、冷たい外気が導入される計画換気空間26及びユニットバス11及び洗面所3の温度との間に温度差が生じることから、ヒートショックが生じるおそれもある。
【００１２】
本発明は、このような従来の問題を解決するためになされたもので、屋内の結露及びヒートショックを予防することが可能な建物の断熱構造を提供することである。
【課題を解決するための手段】
【００１３】
本発明は、建物の土間面上に設置されたユニットバスを収容するユニットバス収容室と、ユニットバス収容室と隣接し、建物の土間面から所定の高さに配置された床を有する、ユニットバス隣接室と、ユニットバス隣接室と隣接し、土間面から所定の高さに配置された床を有する居室と、を有する建物の断熱構造であって、ユニットバス収容室、ユニットバス隣接室の床上区画と床下区画、及び、居室の床上区画からなり、内部の通気が図られるとともに、建物外部と熱的に区画された居室環境区画と、居室の床下区画からなり、建物外部と通気するとともに、居室環境区画と熱的に区画された外部環境区画と、を有することを特徴とする。
【発明の効果】
【００１４】
本発明の建物の断熱構造によれば、ユニットバス収容室の基礎周りの結露を防止することが可能となる。また、ユニットバス、洗面所等を、外部環境とは異なる、他の居室と同様の快適な環境とすることができ、ヒートショックを予防することが可能となる。
【図面の簡単な説明】
【００１５】
【図１】本発明の実施形態の建物の断熱構造の立断面図である。
【図２】図１のＡ-Ａ´平断面図である。
【図３】図１のＢ-Ｂ´平断面図である。
【発明を実施するための形態】
【００１６】
以下、本発明の実施形態である建物の断熱構造について、図を参照して詳細に説明をする。
【００１７】
図１は、本発明の実施形態の建物の断熱構造の立断面図である。なお、本図は、説明のためにユニットバス収容室１００とユニットバス隣接室２００とを拡大して概略図示している。
【００１８】
本実施形態の建物１は、ユニットバス収容室１００と、ユニットバス隣接室２００と、居室３００とを有する。なお、居室３００は１部屋に限られない。また、図１は、土間面４００がベタ基礎の耐圧盤の土間面である場合を示すが、これに限られず、布基礎の防水モルタル面であってもよいし、他の基礎構造（例えば伝統構法の基礎石）の土間面であってもよい。
【００１９】
ユニットバス収容室１００は、土間面４００、間仕切壁２０６、外壁５０１、基礎壁４０１、及び、天井面６００に囲まれた区画である。ユニットバス収容室１００は、ユニットバス１０１の周囲に所定の間隙（空間）を有した状態で収容する。そのため、ユニットバス収容室周辺の間仕切壁２０６のユニットバス側は、仕上げ面を通常有しない。ユニットバス１０１は、土間面４００から支持部材１０４により、所定の高さに支持される。
【００２０】
間仕切壁２０６は、ユニットバス１０１へ出入りするためのユニットバス出入口（ドア）２０３を有する。ユニットバス出入口２０３は、ユニットバス１０１とユニットバス隣接室２００との間の通気を可能とするガラリ部２０７（第３の通気部）を有する。
【００２１】
ユニットバス収容室１００の一側面は、外壁５０１となっている。本実施形態の建物１は、外壁５０１と基礎壁４０１の間に基礎パッキン１０３を設置して床下通気のための空隙を確保しているが、ユニットバス収容室１００の外壁５０１の下端には空隙を遮蔽する形で基礎断熱材１０２が設置されているため、ユニットバス収容室１００の床下通気が遮断される。
【００２２】
もっとも、本実施形態の建物１においてユニットバス収容室１００は外壁に接する位置にある場合に限られるものではなく、周囲が居室に囲まれた位置にあってもよく、ユニットバス隣接室２００を間に介して外壁に接する位置にあってもよい。
【００２３】
ユニットバス隣接室２００は、土間面４００、間仕切壁２０６、間仕切壁５０３、基礎壁４０２、及び、天井面６００に囲まれた区画である。また、ユニットバス隣接室２００は、床２０１により、床上区画と床下区画との上下の区画に分割される。
【００２４】
ユニットバス隣接室２００は、ユニットバス収容室１００と隣接する。ユニットバス隣接室２００とユニットバス収容室１００との境界には、間仕切壁２０６が備わる。ユニットバス隣接室２００は、土間面４００から所定の高さに配置された床２０１を有する。床２０１は、ユニットバス隣接室２００の床上と床下を連通する通気ガラリ等の浴室通気口２０２（第１の通気部）を有する。
【００２５】
また、ユニットバス隣接室２００とユニットバス収容室１００との境界部分の床下には、基礎壁がないか、もしくは、基礎壁がある場合には、基礎壁に作業者が通行できる程度の大きさの開口が設けられている。これにより、ユニットバス隣接室２００の床２０１に設置された床下点検口（不図示）から床下に進入した作業者がユニットバス１０１を点検することが容易となる。なお、ユニットバス隣接室２００は、床下点検口設置を必要とすることから、家具や荷物の置かれることがない空間（脱衣所、洗面所、トイレ、台所、廊下など）であることが望ましく、トイレ及び洗面所と言ったような形で複数室を包含していても良い。
【００２６】
居室３００は、土間面４００、間仕切壁５０３、外壁５０２、基礎壁４０２、４０３、及び、天井面６００に囲まれた区画である。また、居室３００は、床３０１により、床上区画と床下区画との上下の区画に分割される。
【００２７】
居室３００は、ユニットバス隣接室２００と隣接する。居室３００とユニットバス隣接室２００との境界には間仕切壁５０３が備わる。間仕切壁５０３は、ユニットバス隣接室出入口（ドア等）５０４を有する。ユニットバス隣接室出入口５０４の下端と床３０１との間には１ｃｍ程度の隙間からなるアンダーカット部３０３（第２の通気部）がある。アンダーカット部３０３を通気部として、居室３００とユニットバス隣接室２００との間で空気が連通する。なお、この通気部の位置や態様はアンダーカットに限られず、例えば、通気ガラリによるものでもよい。
【００２８】
居室３００の一側面は、外壁５０２となっている。本実施形態の建物１は、外壁５０２と基礎壁４０３の間に基礎パッキン３０４を設置して床下通気のための空隙を確保している。これにより、外壁５０２と基礎壁４０３との間では通気がなされ、居室３００の床下区画は建物１の外部環境の空気と通気する（図１の矢印Ｃ）。
【００２９】
また、建物１は、外壁５０１、５０２、（その他、不図示の外壁）、及び、屋根６０１、６０２により、建物外部環境から区画される。なお、図では省略しているが、屋根６０１、６０２の上方は結合している。また、外壁５０１、５０２、（その他、不図示の外壁）、及び、屋根６０１、６０２は、断熱機能を有する。なお、本実施形態の建物１は平屋だが２階建て以上の複数階建物であっても良く、屋根ではなくその部分の最上階の天井面で断熱区画していても良い。また、土間面４００も地盤上に備わることから断熱機能を有する。このようにして、建物１は全体として断熱される。
【００３０】
図２は、図１のＡ-Ａ´平断面図である。図３は、図１のＢ-Ｂ´平断面図である。なお、図２、３は説明のため、ユニットバス収容室１００とユニットバス隣接室２００とを拡大して概略図示している。また、図２、３において、基礎壁は、建物外周の基礎壁４０１、４０３、４０４、４０５、４０７、４０８と、室内部分は基礎断熱材が設置された基礎壁４０２、４０６のみを記載しており、ユニットバス１０１のほか、土台、大引、根太等の構造躯体、外壁仕上材、設備配管等の記載は省略している。
【００３１】
図２に示すように、居室３００の床下区画（図中のＢ）は、土間面４００から基礎壁４０２、４０３、４０５、４０６、４０７、４０８に包囲される。図３に示すように、居室３００の床３０１の下面一面（居室３００の床下区画Ｂの上面）には、床断熱材３０２が敷設され、床断熱された断熱床となっている。これにより、居室３００の床上区画と床下区画Ｂとは床断熱材３０２により熱的に区画される。
【００３２】
図２に示すように、ユニットバス収容室１００の下部とユニットバス隣接室２００の床下区画は、土間面４００から立設された基礎断熱材１０２、１０５、２０５、１０６に包囲された基礎断熱区画（図中のＡ）となっている。
【００３３】
図１、２に示すように、ユニットバス隣接室２００と居室３００との境界の間仕切壁５０３の下部には、基礎壁４０２が備わる。基礎壁４０２には基礎断熱材２０５が備わる。基礎壁４０６には基礎断熱材１０５が備わる。これにより、居室３００の床下区画Ｂと基礎断熱区画Ａとは、基礎断熱材１０５、２０５により熱的に区画される。
【００３４】
なお、本実施形態の建物１では基礎断熱材２０５は基礎壁４０２に、基礎断熱材１０５は基礎壁４０６にそれぞれ張り付けられる形で設置されているが、それぞれの基礎断熱材１０５、２０５は、床断熱材３０２の直下（床下断熱材の外縁部直下を含む）に、土間面４００から床断熱材３０２の高さまで設置されていれば良く、基礎壁４０２、４０６から離れた位置にあっても良い。逆に言えば、ユニットバス隣接室２００と居室３００との境界の間仕切壁５０３は基礎断熱材２０５の直上にある必要もなく、更に言えばユニットバス隣接室２００と居室３００との境界の間仕切壁５０３は、台所と食事室の間でよくあるように、なくしてもよい。また、伝統構法のようにそもそも基礎壁の存在しない工法の場合は、当然に基礎断熱材２０５が単独で立設されることになる。
【００３５】
外壁５０１の下部には、基礎壁４０１が備わる。基礎壁４０１には基礎断熱材１０２が備わる。また、基礎壁４０４には基礎断熱材１０６が備わる。これにより、基礎断熱区画Ａと建物１の外部とは基礎断熱材１０２、１０６により熱的に区画される。
【００３６】
このような床断熱材３０２及び基礎断熱材１０２、１０５、１０６、２０５の配置により、建物１では、ユニットバス収容室１００と、ユニットバス隣接室２００の床上区画及び床下区画と、居室３００の床上区画とが、居室環境区画となり、また、居室３００の床下区画Ｂが、居室環境区画と熱的に区画された、外部環境区画となる。
【００３７】
ユニットバス隣接室２００の床上区画と床下区画とを連通する浴室通気口２０２と、居室３００とユニットバス隣接室２００とを連通するアンダーカット部３０３と、ユニットバス１０１とユニットバス隣接室２００とを連通するガラリ部２０７とにより、ユニットバス１０１と、ユニットバス収容室１００と、ユニットバス隣接室２００の床上区画及び床下区画と、居室３００の床上区画からなる居室環境区画は、空気の移動が可能である（図１の矢印Ａ、Ｂ、及び、Ｄ）。
【００３８】
居室環境区画内の空気の移動が可能であることから、ユニットバス収容室１００、ユニットバス隣接室２００の床上区画及び床下区画、及び、居室３００の床上区画の温度が均一化され、間仕切壁２０６、５０３等の部屋境界部の温度の不均衡によりに生じる結露を防止することができる。
【００３９】
また、居室環境区画は一年を通じて、適切な冷暖房がなされることから、ユニットバス１０１とユニットバス収容室１００とユニットバス隣接室２００とは、居室３００と同様の快適な環境となる。特にユニットバス１０１と居室３００の温度差がほぼ無くなることから、ヒートショックを予防することが可能となる。
【００４０】
さらに、ユニットバス１０１は、室内の空気を屋外へ排出する換気扇（不図示）を備えていてもよい。換気扇を稼働させることにより、居室環境区画の空気が、ユニットバス１０１に流入し（図１の矢印Ｄ）、屋外に排出される。なお、ユニットバス隣接室２００や居室３００が換気扇を有してもよい。
【００４１】
換気扇を稼働させることにより、ユニットバス収容室１００と、ユニットバス隣接室２００の床上区画及び床下区画と、居室３００の床上区画からなる、居室環境区画の気温の均一化が促進されることから、間仕切壁２０６、５０３等の部屋境界部の温度の不均衡によりに生じる結露や、ユニットバス収容室１００床下の結露をより一層防止することができる。
【００４２】
以上説明したように、本実施形態の建物の断熱構造によれば、屋内の結露、特にユニットバス床下の結露を防止することが可能となる。また、ユニットバス１０１とユニットバス隣接室２００とを外部環境とは異なる、居室３００と同様の快適な環境とすることができ、ヒートショックを予防することが可能となる。
【符号の説明】
【００４３】
１：建物
１００：ユニットバス収容室、１０１：ユニットバス、１０２、１０５、１０６：基礎断熱材、１０３：基礎パッキン
２００：ユニットバス隣接室、２０１：床、２０２：浴室通気口、２０３：ユニットバス出入口、２０５；基礎断熱材、２０６：間仕切壁、２０７：ガラリ部
３００：居室、３０１：床、３０２：床断熱材、３０３：アンダーカット部、３０４：基礎パッキン
４００：土間面、４０１、４０２、４０３、４０４、４０５、４０６、４０７、４０８：基礎壁
５０１、５０２：外壁、５０３：間仕切壁、５０４：ユニットバス隣接室出入口
６００：天井面、６０１、６０２：屋根
【図１】
2017179870.tif 000003
【図２】
2017179870.tif 000004
【図３】
2017179870.tif 000005
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
建物の土間面上に設置されたユニットバスを収容するユニットバス収容室と、前記ユニットバス収容室と隣接し、前記土間面から所定の高さに配置された床を有するユニットバス隣接室と、前記ユニットバス隣接室と隣接し、前記土間面から所定の高さに配置された床を有する居室と、を有する建物の断熱構造であって、
前記ユニットバス収容室、前記ユニットバス隣接室の床上区画と床下区画、及び、前記居室の床上区画からなり、内部の通気が図られるとともに、建物外部と熱的に区画された居室環境区画と、
前記居室の床下区画からなり、前記建物外部と通気するとともに、前記居室環境区画と熱的に区画された外部環境区画と、
を有することを特徴とする建物の断熱構造。
【請求項２】
前記居室の床は、下面に床断熱材を有し、
前記ユニットバス収容室の床下空間部分と前記ユニットバス隣接室の床下区画は、前記土間面から立設した基礎断熱材により包囲されており、
前記居室環境区画は、前記基礎断熱材及び前記床断熱材により、前記建物外部及び前記外部環境区画と熱的に区画されたことを特徴とする請求項１に記載の建物の断熱構造。
【請求項３】
前記ユニットバス隣接室の床は、前記ユニットバス隣接室の床下区画を通じて前記ユニットバス収容室の床下空間部分と連通するための第１の通気部を有し、
前記居室は、前記ユニットバス隣接室と連通するための第２の通気部を有し、
前記居室環境区画は、前記第１の通気部及び前記第２の通気部により、内部の通気が図られることを特徴とする請求項１または２に記載の建物の断熱構造。
【請求項４】
前記基礎断熱材は、
前記ユニットバス収容室及び前記ユニットバス隣接室の外壁下部の基礎壁の室内側と、
前記ユニットバス隣接室と前記居室との境界下部の基礎壁と、
に立設される、ことを特徴とする請求項２に記載の建物の断熱構造。